(57)【要約】【課題】有機色素を用いた光ディスクに対して記録を行う際に、アシンメトリ値やβ値とライトパワーＰwとの関係が適切な直線で表されるようにする。【解決手段】本データ記録方法は、データ記録対象の光ディスクのメディアＩＤを読み出すステップと、読み出されたメディアＩＤが波長４００乃至４１０ｎｍの範囲で記録可能な吸収スペクトルを有する記録層を備えた光ディスクであることを示している場合には、キャッスル型の記録パルス波形に含まれる中間パルスにおける中間バイアスパワーＰmに対する、キャッスル型の記録パルス波形に含まれるトップパルス及びラストパルスにおけるライトパワーＰwの比率Ｘが第１の条件を満たし、Ｐwに対する、キャッスル型の記録パルス波形に含まれるスペース形成パルスにおけるスペース形成パワーＰsの比率Ｙが第２の条件を満たすように、中間バイアスパワーＰm、Ｐw及びスペース形成パワーＰsを設定するステップとを含む。【選択図】図２
2009295242.tif 000002
【特許請求の範囲】
【請求項１】
データ記録対象の光ディスクのメディア情報を読み出すステップと、
読み出されたメディア情報が波長４００乃至４１０ｎｍの範囲で記録可能な吸収スペクトルを有する記録層を備えた光ディスクであることを示している場合には、キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、前記ライトパワーＰwに対する、前記キャッスル型の記録パルス波形に含まれるスペース形成パルスにおけるスペース形成パワーＰsの比率Ｙが第２の条件を満たすように、前記中間バイアスパワーＰm、前記ライトパワーＰw及び前記スペース形成パワーＰsを設定するステップと、
を含むデータ記録方法。
【請求項２】
前記第１の条件が、１．２＜Ｘ＜１．９であり、
前記第２の条件が、０．１６＜Ｙ＜０．３１である
請求項１記載のデータ記録方法。
【請求項３】
データ記録対象の光ディスクのメディア情報を読み出すステップと、
読み出されたメディア情報が波長４００乃至４１０ｎｍの範囲で記録可能な吸収スペクトルを有する記録層を備えた光ディスクであることを示している場合には、キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、前記中間バイアスパワーＰmに対する、前記キャッスル型の記録パルス波形に含まれるスペース形成パルスにおけるスペース形成パワーＰsの比率Ｚが第２の条件を満たすように、前記中間バイアスパワーＰm、前記ライトパワーＰw及び前記スペース形成パワーＰsを設定するステップと、
を含むデータ記録方法。
【請求項４】
前記第１の条件が、１．２＜Ｘ＜１．９であり、
前記第２の条件が、０．２５＜Ｚ＜０．４７である
請求項３記載のデータ記録方法。
【請求項５】
データ記録対象の光ディスクのメディア情報を読み出す手段と、
読み出されたメディア情報が波長４００乃至４１０ｎｍの範囲で記録可能な吸収スペクトルを有する記録層を備えた光ディスクであることを示している場合には、キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、前記ライトパワーＰwに対する、前記キャッスル型の記録パルス波形に含まれるスペース形成パルスにおけるスペース形成パワーＰsの比率Ｙが第２の条件を満たすように、前記中間バイアスパワーＰm、前記ライトパワーＰw及び前記スペース形成パワーＰsを設定する手段と、
を有する光ディスク記録再生装置。
【請求項６】
前記第１の条件が、１．２＜Ｘ＜１．９であり、
前記第２の条件が、０．１６＜Ｙ＜０．３１である
請求項３記載の光ディスク記録再生装置。
【請求項７】
データ記録対象の光ディスクのメディア情報を読み出す手段と、
読み出されたメディア情報が波長４００乃至４１０ｎｍの範囲で記録可能な吸収スペクトルを有する記録層を備えた光ディスクであることを示している場合には、キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、前記中間バイアスパワーＰmに対する、前記キャッスル型の記録パルス波形に含まれるスペース形成パルスにおけるスペース形成パワーＰsの比率Ｚが第２の条件を満たすように、前記中間バイアスパワーＰm、前記ライトパワーＰw及び前記スペース形成パワーＰsを設定する手段と、
を有する光ディスク記録再生装置。
【請求項８】
前記第１の条件が、１．２＜Ｘ＜１．９であり、
前記第２の条件が、０．２５＜Ｚ＜０．４７である
請求項７記載のデータ記録方法。
【請求項９】
請求項１乃至４のいずれか１つ記載のデータ記録方法を、光ディスク記録再生装置のプロセッサに実行させるためのプログラム。
【請求項１０】
波長４００乃至４１０ｎｍの範囲で記録可能な吸収スペクトルを有する記録層を備えた光ディスクであって、
キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、前記ライトパワーＰwに対する、前記キャッスル型の記録パルス波形に含まれるスペース形成パルスにおけるスペース形成パワーＰsの比率Ｙが第２の条件を満たすような、前記中間バイアスパワーＰm、前記ライトパワーＰw及び前記スペース形成パワーＰsの設定データが記録されている
光ディスク。
【請求項１１】
前記第１の条件が、１．２＜Ｘ＜１．９であり、
前記第２の条件が、０．１６＜Ｙ＜０．３１である
請求項１０記載の光ディスク。
【請求項１２】
波長４００乃至４１０ｎｍの範囲で記録可能な吸収スペクトルを有する記録層を備えた光ディスクであって、
キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、前記中間バイアスパワーＰmに対する、前記キャッスル型の記録パルス波形に含まれるスペース形成パルスにおけるスペース形成パワーＰsの比率Ｚが第２の条件を満たすような、前記中間バイアスパワーＰm、前記ライトパワーＰw及び前記スペース形成パワーＰsの設定データが記録されている
光ディスク。
【請求項１３】
前記第１の条件が、１．２＜Ｘ＜１．９であり、
前記第２の条件が、０．２５＜Ｚ＜０．４７である
請求項１２記載の光ディスク。
【発明の詳細な説明】
【技術分野】
【０００１】
本発明は、波長４００乃至４１０ｎｍの範囲で記録可能な吸収スペクトルを有する記録層を備えた光ディスクに対するデータ記録を適切に行うための技術に関する。
【背景技術】
【０００２】
追記型ブルーレイディスク（ＢＤ−Ｒ）又は追記型ＨＤ ＤＶＤディスク（ＨＤ ＤＶＤ−Ｒ）等の高密度記録再生用の光ディスクは、光透過性ディスク状基板の一方の面上に、記録層、反射層、及び必要に応じて保護層を形成した構造を有している。また、記録層や反射層が形成されている基板の一方の面にはグルーブと呼ばれる螺旋状又は同心円状の溝が形成され、隣り合うグルーブの間はランドと呼ばれる凸部形状に形成されている。このような高密度記録再生用の光ディスクでは、光ディスク記録再生装置が記録用のレーザを溝に沿ってトラッキングさせながらグルーブ上の記録層に照射して、基準のチャンネルクロック周期をＴとし、整数ｎ倍の長さをｎＴとするときに、長さｎＴのピット（以下、記録マークという）と、長さがｎＴで当該記録マーク間の部分（以下、スペースという）とを繰り返し形成することにより、情報が記録される。また、これらの記録マークやスペースの配列に、光ディスク記録再生装置が再生用のレーザ光を照射して反射光を再生信号に変換することにより、情報が再生される。
【０００３】
また、光ディスクに情報を記録マークやスペースの符号として記録するときに、記録用レーザのパルスが単一の又は複数の短いパルスを含むパルス列になるように制御される。例えば、長さｎＴの記録マーク符号のうち、長さ２Ｔの記録マークのような短い記録マークの場合は単一のパルスパターンを用いることが多く、また、長さ４Ｔ以上の記録マークを一定の幅で書き込む場合は複数の短い分割パルスパターンを用いることが多い。このように記録用レーザのパルスを変調波形で操作して、光情報記録媒体の記録面上における熱蓄積や熱拡散の影響を抑制することにより記録精度を更に向上させる記録用レーザの照射条件をライトストラテジという。
【０００４】
無機材料を用いた追記型の高密度記録再生用の光ディスクについては、従来どおりのライトストラテジで記録を行うと、アシンメトリ値（ＲＦ信号における最短記録マーク及び最短スペースと最長記録マーク及び最長スペースとの振幅の対称性を表す評価指標。β値でもよい。）は、メインパワー（ライトパワーとも呼ぶ）Ｐwが増加するにつれてほぼ線形に増加する場合がほとんどである。従って、例えばＯＰＣ（Optimum Power Control）やＷＯＰＣ（Walking ＯＰＣ）などにおいて、アシンメトリ値を評価指標としてメインパワーＰwの制御を行って、記録材料の膜厚、反射膜厚、板厚、反り等のディスク内外差による外乱や、レーザダイオードの温度変化やサーボ動作等のドライブの外乱に対処できる。
【０００５】
一方、波長４００乃至４１０ｎｍの範囲で記録可能な吸収スペクトルを有する記録層を備えた追記型の光ディスクについては、従来どおりのストラテジ等で記録を行うと、ＤＣ（Data to Clock）ジッタについては、メインパワーＰwに対して、値は異なるが無機材料の場合と同様に有機色素の場合にもほぼ２次関数のようなカーブが得られるが、アシンメトリ値については、無機材料の時のように線形性は得られない。すなわち、アシンメトリ値（又はβ値）では、適切なメインパワーＰwが設定されているか否かを判断することができないことになってしまう。
【０００６】
また、特開２００４−９５００７号公報には、光ディスクなどに対する情報記録装置において、記録パルス波形のバイアスパワーレベルを変化させた場合でも、良好な記録特性を得るための技術が開示されている。具体的には、記録パルス波形のバイアスパワーレベルを全体又は部分的に変化させる場合に、その変化に応じて記録パルス波形の形状を変化させる。例えば、バイアスパワーレベルを増加させる場合には、その分記録パルス波形のトップパルスやマルチパルスなどの幅やエッジ位置を変化させて、記録レーザ光の総熱量が増加しないようにし、良好な記録特性を維持する。但し、波長４００乃至４１０ｎｍの範囲で記録可能な吸収スペクトルを有する記録層を備えた追記型の光ディスクに対するデータ記録の問題点については述べられていない。
【特許文献１】特開２００４−９５００７号公報
【発明の開示】
【発明が解決しようとする課題】
【０００７】
波長４００乃至４１０ｎｍの範囲で記録可能な吸収スペクトルを有する記録層を備えた追記型光ディスクでは、ライトパワーＰwを変化させた時にβ値やアシンメトリ値が追従せずほぼ一定値を取ってしまう現象が発生する。
【０００８】
そのため、データ記録時に外乱が発生しても、これまで評価指標として使用していたβ値やアシンメトリ値が変化しないため、記録特性の劣化具合を光ディスク記録再生装置が判断できず、ライトパワーＰwを調整することができない。そのためデータ記録劣化が起こり、最悪の場合記録停止やデータ再生不可といった不具合が生じる。
【０００９】
従って、本発明の目的は、波長４００乃至４１０ｎｍの範囲で記録可能な吸収スペクトルを有する記録層を備えた光ディスクに対して記録を行う際に、アシンメトリ値やβ値とライトパワーＰwとの関係が適切な直線で表されるようにするための技術を提供することである。
【００１０】
また、本発明の他の目的は、波長４００乃至４１０ｎｍの範囲で記録可能な吸収スペクトルを有する記録層を備えた光ディスクに対して記録を行う際に、アシンメトリ値やβ値とライトパワーＰwとの関係を表す直線の線形性を保持させるための技術を提供することである。
【課題を解決するための手段】
【００１１】
本発明の第１の態様に係るデータ記録方法は、データ記録対象の光ディスクのメディア情報（メディア情報とは、例えば、製造者識別情報（Manifacturer ID）があげられ、この他には、メディアを識別する情報などを含む。）を読み出すステップと、読み出されたメディア情報が波長４００乃至４１０ｎｍの範囲で記録可能な吸収スペクトルを有する記録層を備えた光ディスクであることを示している場合には、キャッスル型（ノンマルチパルス型とも呼ぶ）の記録パルス波形に含まれる中間パルスにおける中間バイアスパワーＰmに対する、キャッスル型の記録パルス波形に含まれるトップパルス及びラストパルスにおけるライトパワーＰwの比率Ｘが第１の条件を満たし、ライトパワーＰwに対する、キャッスル型の記録パルス波形に含まれるスペース形成パルスにおけるスペース形成パワーＰsの比率Ｙが第２の条件を満たすように、中間バイアスパワーＰm、ライトパワーＰw及びスペース形成パワーＰsを設定するステップとを含む。
【００１２】
本発明の発明者の新規な知見によれば、上で述べたように中間バイアスパワーＰm、ライトパワーＰw及びスペース形成パワーＰsを設定することによって、アシンメトリ値やβ値とライトパワーＰwとの関係が適切な直線で表されるようになる。
【００１３】
なお、上で述べた第１の条件が、１．２＜Ｘ＜１．９であり、上で述べた第２の条件が、０．１６＜Ｙ＜０．３１であれば、記録品位の面でも問題なく、アシンメトリ値やβ値とライトパワーＰwとの関係を表す直線の線形性を保持させることができるようになる。
【００１４】
本発明の第２の態様に係るデータ記録方法は、データ記録対象の光ディスクのメディア情報を読み出すステップと、読み出されたメディア情報が波長４００乃至４１０ｎｍの範囲で記録可能な吸収スペクトルを有する記録層を備えた光ディスクであることを示している場合には、キャッスル型の記録パルス波形に含まれる中間パルスにおける中間バイアスパワーＰmに対する、キャッスル型の記録パルス波形に含まれるトップパルス及びラストパルスにおけるライトパワーＰwの比率Ｘが第１の条件を満たし、中間バイアスパワーＰmに対する、キャッスル型の記録パルス波形に含まれるスペース形成パルスにおけるスペース形成パワーＰsの比率Ｚが第２の条件を満たすように、中間バイアスパワーＰm、前記ライトパワーＰw及びスペース形成パワーＰsを設定するステップとを含む。
【００１５】
そして、上で述べた第１の条件が、１．２＜Ｘ＜１．９であり、上で述べた第２の条件が、０．２５＜Ｚ＜０．４７であれば、記録品位の面でも問題なく、アシンメトリ値やβ値とライトパワーＰwとの関係を表す直線の線形性を保持させることができるようになる。
【００１６】
なお、上記のようなパラメータについては、光ディスク記録再生装置内のメモリに保持しておきそこから読み出して設定するようにしても良いし、例えば光ディスク自体に保持させるようにしても良い。
【００１７】
具体的には、波長４００乃至４１０ｎｍの範囲で記録可能な吸収スペクトルを有する記録層を備えた光ディスクであって、キャッスル型の記録パルス波形に含まれる中間パルスにおける中間バイアスパワーＰmに対する、キャッスル型の記録パルス波形に含まれるトップパルス及びラストパルスにおけるライトパワーＰwの比率Ｘが第１の条件を満たし、ライトパワーＰwに対する、キャッスル型の記録パルス波形に含まれるスペース形成パルスにおけるスペース形成パワーＰsの比率Ｙが第２の条件を満たすような、中間バイアスパワーＰm、ライトパワーＰw及び前記スペース形成パワーＰsの設定データが記録されているものである。第１の条件及び第２の条件については上で述べた条件である場合もある。
【００１８】
なお、キャッスル型の記録パルス波形に含まれる中間パルスにおける中間バイアスパワーＰmに対する、前記キャッスル型の記録パルス波形に含まれるトップパルス及びラストパルスにおけるライトパワーＰwの比率Ｘが第１の条件を満たし、中間バイアスパワーＰmに対する、キャッスル型の記録パルス波形に含まれるスペース形成パルスにおけるスペース形成パワーＰsの比率Ｚが第２の条件を満たすような、中間バイアスパワーＰm、ライトパワーＰw及びスペース形成パワーＰsの設定データが記録されている場合もある。第１の条件及び第２の条件については上で述べた条件である場合もある。
【００１９】
本発明のデータ記録方法をプロセッサに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置若しくはプロセッサの不揮発性メモリに格納される。また、ネットワークを介してディジタル信号にて頒布される場合もある。なお、処理途中のデータについては、プロセッサのメモリ等の記憶装置に一時保管される。
【発明の効果】
【００２０】
本発明によれば、波長４００乃至４１０ｎｍの範囲で記録可能な吸収スペクトルを有する記録層を備えた光ディスクに対して記録を行う際に、アシンメトリ値やβ値とライトパワーＰwとの関係を適切な直線で表すことができるようになる。
【００２１】
また、本発明の他の側面によれば、波長４００乃至４１０ｎｍの範囲で記録可能な吸収スペクトルを有する記録層を備えた光ディスクに対して記録を行う際に、アシンメトリ値やβ値とライトパワーＰwとの関係を表す直線の線形性を保持させることができるようになる。
【発明を実施するための最良の形態】
【００２２】
［本発明の原理］
図１にキャッスル型の記録パルス（Write Pulse）の波形を模式的に示す。キャッスル型の記録パルスは、例えば１倍速記録の４倍以上の記録速度で記録する場合に用いられる。図１（ｃ）において、縦軸は振幅を表し、横軸は時間を表す。そして、この図１（ｃ）において、スペース形成時にはスペース形成に必要な記録パワーであるスペース形成パワーＰsが用いられ、マーク形成時にはライトパワーＰwが用いられ、３Ｔ以上のマークでトップパルス以降の中間パルスには中間バイアスパワーＰmが用いられ、マークの最後のパルスの後の下向きのパルスであるクーリングパルスにはクーリングパルスパワーＰcが用いられる。また、ラストパルスにおいても、ライトパワーＰwが用いられる。なお、再生時のレーザーパワーは、リードパワーＰrとして図１（ｃ）にも示されている。
【００２３】
なお、図１（ａ）は、記録データ（２Ｔマーク（Ｐ２Ｔ）及び８Ｔマーク（Ｐ８Ｔ））を表し、図１（ｂ）は、サンプリング信号波形を表す。本願発明者は、波長４００乃至４１０ｎｍの範囲で記録可能な吸収スペクトルを有する記録層を備えた光ディスクに対してデータ記録を行う場合には、スペース形成パワーＰs及び中間バイアスパワーＰmをライトパワーＰwに対して所定の関係を満たすように調整することによって、記録品位を保持しつつ、アシンメトリ値やβ値とライトパワーＰwとの関係が適切な直線で表すことができるようになることを非自明に見出した。
【００２４】
以下、スペース形成パワーＰs、中間バイアスパワーＰm及びライトパワーＰwをどのように調整すべきかについて、図２乃至図６を用いて説明する。図２に示すテーブルにおいて、縦軸はＰw／Ｐmの値の列を表し、横軸はＰs／Ｐwの値の列を表す。図２のテーブルにおいて、○印がプロットされた点におけるＰw／Ｐm値及びＰs／Ｐw値の組み合わせは、ＤＣＪが７％未満という基準を満たし且つアシンメトリ値とライトパワーＰwとの間に所定以上の傾きを有する線形特性が得られることが検証されたことを表している。同様に、×印がプロットされた点におけるＰw／Ｐm値及びＰs／Ｐw値の組み合わせは、上で述べた条件が満たされないことが検証されたことを表している。これらをまとめると、太点線Ａで囲まれた範囲が、図２のテーブルで表される平面において上記条件を満たす範囲と考えられる。太点線Ａで囲まれた範囲は、１．２＜Ｐw／Ｐm＜１．９且つ０．１６＜Ｐs／Ｐw＜０．３１である。
【００２５】
以下、図２で示した範囲Ｂ乃至Ｅでの具体的な検証内容を図３乃至図６を用いて説明する。まず、図３を用いて範囲Ｂにおける検証内容を示す。図３は、Ｐw／Ｐm＝１．４に固定して、Ｐs／Ｐwを変化させた際の、ライトパワーＰwとＤＣＪとの関係と、ライトパワーＰwとアシンメトリ値（Asym）との関係とを表している。すなわち、図３において、左側の縦軸はＤＣＪ［％］を表し、右側の縦軸はアシンメトリ値［％］を表し、横軸はライトパワーＰwを表す。図３において通常点線は、ＤＣＪ［％］が７％という規格上の基準に相当する線を表す。従って、通常点線を上回る場合には、規格を満たさないことになる。Ｐs／Ｐw＝０．２３についてのＤＣＪのカーブは、基準値未満の範囲が十分あり、アシンメトリ値とライトパワーＰwとの関係を表すカーブは十分な傾きを有する。また、Ｐs／Ｐw＝０．１８についてのＤＣＪのカーブは、基準値以下の部分があり、アシンメトリ値とライトパワーＰwとの関係を表すカーブは十分な傾きを有する。しかしながら、Ｐs／Ｐw＝０．１６についてのＤＣＪのカーブは、基準を超えてしまっているので、Ｐw／Ｐm＝１．４且つＰs／Ｐw＝０．１６については採用できない。
【００２６】
次に、図４を用いて範囲Ｃにおける検証内容を示す。図４は、Ｐw／Ｐm＝１．６に固定して、Ｐs／Ｐwを変化させた際の、ライトパワーＰwとＤＣＪとの関係と、ライトパワーＰwとアシンメトリ値（Asym）との関係とを表している。グラフの構成自体は図３と図４は同じである。図４において通常点線は、ＤＣＪ［％］が７％という規格上の基準に相当する線を表し、太点線は、アシンメトリ値の規格上の基準を表している。従って、ＤＣＪが通常点線を上回る場合には規格を満たさないことになり、また、アシンメトリ値が太点線を上回る場合には、規格を満たさないことになる。図４に示されたＰs／Ｐw＝０．２３、Ｐs／Ｐw＝０．２９及びＰs／Ｐw＝０．３１のいずれの場合も、ＤＣＪのカーブは、基準値未満の範囲が十分あり問題ない。一方、アシンメトリ値とライトパワーＰwとの関係を表すカーブは、Ｐs／Ｐw＝０．２３及びＰs／Ｐw＝０．２９の場合はアシンメトリ値の基準以下であり、十分な傾きを有する。しかしながら、Ｐs／Ｐw＝０．３１の場合には、アシンメトリ値の基準を超える部分があり、傾きも十分ではないので、Ｐw／Ｐm＝１．６且つＰs／Ｐw＝０．３１については採用できない。
【００２７】
次に、図５を用いて範囲Ｄにおける検証内容を示す。図５は、Ｐs／Ｐw＝０．２５に固定して、Ｐw／Ｐmを変化させた際の、ライトパワーＰwとＤＣＪとの関係と、ライトパワーＰwとアシンメトリ値（Asym）との関係とを表している。グラフの構成自体及び基準値は図４と図５は同じである。図５に示されたＰw／Ｐm＝１．５及びＰw／Ｐm＝１．７の場合、ＤＣＪのカーブは、基準値未満の範囲が十分あり問題ない。しかし、Ｐw／Ｐm＝１．９の場合、ＤＣＪのカーブは、基準値を超える部分が多い。また、アシンメトリ値とライトパワーＰwとの関係を表すカーブは、Ｐw／Ｐm＝１．５及びＰw／Ｐm＝１．７の場合はアシンメトリ値の基準以下であり、十分な傾きを有する。しかしながら、Ｐw／Ｐm＝１．９の場合には、アシンメトリ値の基準を超える部分があり、傾きも十分ではないので、Ｐs／Ｐw＝０．２５且つＰw／Ｐm＝１．９については採用できない。
【００２８】
次に、図６を用いて範囲Ｅにおける検証内容を示す。図６は、Ｐs／Ｐw＝０．２３に固定して、Ｐw／Ｐmを変化させた際の、ライトパワーＰwとＤＣＪとの関係と、ライトパワーＰwとアシンメトリ値（Asym）との関係とを表している。グラフの構成自体及び基準値は図４と図６は同じである。図６に示されたＰw／Ｐm＝１．３の場合、ＤＣＪのカーブは、基準値未満の範囲が十分あり問題ない。しかし、Ｐw／Ｐm＝１．２の場合、ＤＣＪのカーブは、ほとんど基準以下となっていないので、Ｐs／Ｐw＝０．２３且つＰw／Ｐm＝１．３については採用できない。
【００２９】
以上のように、図２の太点線の範囲Ａに、Ｐs／Ｐwの値及びＰw／Ｐmの値が入るようにすれば、規格の要件を満たしつつ、ライトパワーＰwとアシンメトリ値との関係が所定以上の傾きを有する直線で表されるようになる。
【００３０】
なお、追記型ブルーレイディスク（ＢＤ−Ｒ）等より前に規格が策定されたＤＶＤ−Ｒなどの場合には、おおよそ１．３＜Ｐw／Ｐm＜１．６の範囲で用いられていた。１．６以上となると、長いＴのマークの書き込みが悪くなってしまうという現象が生じていた。これは、当然ながら使用するレーザの波長や光ディスクで使用する色素による感度に差があるからであるが、本発明では上で述べたようにＰsも適切に調整しているため、ＤＶＤ規格の場合と比較してより広い範囲が利用可能となっている。
【００３１】
また、図２では、ライトパワーＰwをベースにＰw／ＰmとＰs／Ｐwとから許容される範囲が規定されているが、例えば中間バイアスパワーＰmをベースにＰw／ＰmとＰs／Ｐmとから許容される範囲を特定しても良い。以下、このような場合について図７乃至図１１を用いて説明する。
【００３２】
図７に示すテーブルにおいて、縦軸はＰw／Ｐmの値の列を表し、横軸はＰs／Ｐmの値の列を表す。図７のテーブルにおいて、○又は点線○印がプロットされた点におけるＰw／Ｐm値及びＰs／Ｐm値の組み合わせは、ＤＣＪが７％未満という基準を満たし且つアシンメトリ値とライトパワーＰwとの間に所定以上の傾きを有する線形特性が得られることが検証されたことを表している。点線○印は、以下で述べる検証内容には含まれないことを表す。同様に、×印がプロットされた点におけるＰw／Ｐm値及びＰs／Ｐm値の組み合わせは、上で述べた条件が満たされないことが検証されたことを表している。これらをまとめると、太点線Ｆで囲まれた範囲が、図７のテーブルで表される平面において上記条件を満たす範囲と考えられる。太点線Ｆで囲まれた範囲は、１．２＜Ｐw／Ｐm＜１．９且つ０．２５＜Ｐs／Ｐm＜０．４７である。なお、図７において横軸の刻みが不規則なのは、縦列が検証実施の単位を示しているためである。
【００３３】
以下、図７で示した範囲Ｇ乃至Ｊでの具体的な検証内容を図８乃至図１１を用いて説明する。まず、図８を用いて範囲Ｇにおける検証内容を示す。図８は、Ｐw／Ｐm＝１．４に固定して、Ｐs／Ｐmを変化させた際の、ライトパワーＰwとＤＣＪとの関係と、ライトパワーＰwとアシンメトリ値（Asym）との関係とを表している。すなわち、図８において、左側の縦軸はＤＣＪ［％］を表し、右側の縦軸はアシンメトリ値［％］を表し、横軸はライトパワーＰwを表す。図８において通常点線は、ＤＣＪ［％］が７％という規格上の基準に相当する線を表す。従って、通常点線を上回る場合には、規格を満たさないことになる。Ｐs／Ｐm＝０．３２についてのＤＣＪのカーブは、基準値未満の範囲が十分あり、アシンメトリ値とライトパワーＰwとの関係を表すカーブは十分な傾きを有する。また、Ｐs／Ｐm＝０．２５についてのＤＣＪのカーブは、基準値以下の部分が少ないが一応確保されており、アシンメトリ値とライトパワーＰwとの関係を表すカーブも十分な傾きを有する。しかしながら、Ｐs／Ｐm＝０．２２についてのＤＣＪのカーブは、基準を超えてしまっているので、Ｐw／Ｐm＝１．４且つＰs／Ｐm＝０．２２については採用できない。
【００３４】
次に、図９を用いて範囲Ｈにおける検証内容を示す。図８は、Ｐw／Ｐm＝１．６に固定して、Ｐs／Ｐmを変化させた際の、ライトパワーＰwとＤＣＪとの関係と、ライトパワーＰwとアシンメトリ値（Asym）との関係とを表している。グラフの構成自体は図８と図９は同じである。図９において通常点線は、ＤＣＪ［％］が７％という規格上の基準に相当する線を表し、太点線は、アシンメトリ値の規格上の基準を表している。従って、ＤＣＪが通常点線を上回る場合には規格を満たさないことになり、また、アシンメトリ値が太点線を上回る場合には、規格を満たさないことになる。図９に示されたＰs／Ｐm＝０．３７、Ｐs／Ｐm＝０．４６及びＰs／Ｐm＝０．５のいずれの場合も、ＤＣＪのカーブは、基準値未満の範囲が十分あり問題ない。一方、アシンメトリ値とライトパワーＰwとの関係を表すカーブは、Ｐs／Ｐm＝０．３７及びＰs／Ｐm＝０．４６の場合はアシンメトリ値の基準以下であり、十分な傾きを有する。しかしながら、Ｐs／Ｐm＝０．５の場合には、アシンメトリ値の基準を超える部分が範囲が広く、傾きも十分ではないので、Ｐw／Ｐm＝１．６且つＰs／Ｐm＝０．５０については採用できない。
【００３５】
次に、図１０を用いて範囲Ｉにおける検証内容を示す。図１０は、Ｐs／Ｐm＝０．３８とＰw／Ｐm＝１．５の組み合わせ、Ｐs／Ｐm＝０．４３とＰw／Ｐm＝１．７の組み合わせ、Ｐs／Ｐm＝０．４８とＰw／Ｐm＝１．９の組み合わせについて、ライトパワーＰwとＤＣＪとの関係と、ライトパワーＰwとアシンメトリ値（Asym）との関係とを表している。グラフの構成自体及び基準値は図８と図１０は同じである。図１０に示されたＰs／Ｐm＝０．３８とＰw／Ｐm＝１．５の組み合わせの場合、ＤＣＪのカーブは、基準値未満の範囲が十分あり問題ない。また、アシンメトリ値は、基準を一部超える部分があるものの、線形性については問題ない。しかし、Ｐs／Ｐm＝０．４８とＰw／Ｐm＝１．９の組み合わせについては、ＤＣＪのカーブは、基準値を超える部分が多い。また、アシンメトリ値とライトパワーＰwとの関係を表すカーブの線形性も問題がある。従って、Ｐs／Ｐm＝０．４８とＰw／Ｐm＝１．９については採用できない。
【００３６】
次に、図１１を用いて範囲Ｊにおける検証内容を示す。図１１は、Ｐs／Ｐm＝０．２８とＰw／Ｐm＝１．２の組み合わせ、Ｐs／Ｐm＝０．３とＰw／Ｐm＝１．３の組み合わせについて、ライトパワーＰwとＤＣＪとの関係と、ライトパワーＰwとアシンメトリ値（Asym）との関係とを表している。グラフの構成自体及び基準値は図８と図１１は同じである。Ｐs／Ｐm＝０．２８とＰw／Ｐm＝１．２の組み合わせについては、ＤＣＪの基準を満たしておらず、採用できない。Ｐs／Ｐm＝０．３とＰw／Ｐm＝１．３の組み合わせについては、ＤＣＪのカーブは、基準値未満の範囲が十分あり問題ない。また、アシンメトリ値についても基準を下回っている部分が多く、線形性についても問題ない。このように、Ｐs／Ｐm＝０．２８とＰw／Ｐm＝１．２の組み合わせについては採用できない。
【００３７】
以上のように、図７の太点線の範囲Ｆに、Ｐs／Ｐmの値及びＰw／Ｐmの値が入るようにすれば、規格の要件を満たしつつ、ライトパワーＰwとアシンメトリ値との関係が所定以上の傾きを有する直線で表されるようになる。
なお、図７乃至図１１で示した場合においても、ライトパワーＰwを最適化してから、それに応じて中間バイアスパワーＰmを決定し、さらに当該中間バイアスパワーＰmからスペース形成パワーＰsを決定することになる。
【００３８】
［実施の形態］
本発明の実施の形態におけるドライブ・システムの機能ブロック図を図１２を用いて説明する。本発明の実施の形態に係るドライブ・システムは、光ディスク記録再生装置１００と、テレビ受像器などの表示部とリモートコントローラなどの操作部とを含む入出力システム（図示せず）とを含む。
【００３９】
光ディスク記録再生装置１００は、処理途中のデータ、処理結果のデータ、処理における参照データなどを格納するメモリ１２７と、以下で説明する処理を行わせるためのプログラムが記録されるメモリ回路１２６を含むＣＰＵ（中央演算装置：Central Processing Unit）などから構成される制御回路１２５と、入出力システムとのインターフェースであるインターフェース部（Ｉ／Ｆ）１２８と、再生信号であるＲＦ信号の最大振幅レベル又は最小振幅レベル等を検出する特性値検出部１２４と、デジタル信号を符号間干渉が残る不完全な周波数レスポンスに対して、ｎＴマークの長さ方向の中央位置の振幅レベルがピーク値となり、中央位置からはなれるに従って隣接のｎＴスペースの影響を受ける振幅レベルの値を、例えば０乃至６の７レベルの比率に等化させる等化器１３１と、等化器１３１で波形等化された再生ＲＦ信号から最も確からしい標準符号系列に復号するデータ復調回路１２３と、ピックアップ部１１０と、制御回路１２５から出力される記録すべきデータに対して所定の変調を行い、レーザ・ダイオード（ＬＤ）ドライバ１２１に出力するデータ変調回路１２９と、ＬＤドライバ１２１と、光ディスク１５０の回転制御部及びモータ並びにピックアップ部１１０用のサーボ制御回路１３２等を含む。なお、光ディスク記録再生装置１００は、図示しないが、表示装置やパーソナルコンピュータに接続され、場合によってはネットワークに接続して１又は複数のコンピュータなどと通信を行う場合もある。
【００４０】
また、ピックアップ部１１０は、対物レンズ１１４と、ビームスプリッタ１１６と、検出レンズ１１５と、コリメートレンズ１１３と、ＬＤ１１１と、フォトディテクタ（ＰＤ）１１２とを含む。ピックアップ部１１０では、サーボ制御回路１３２の制御に応じて図示しないアクチュエータが動作し、フォーカス及びトラッキングが行われる。
【００４１】
制御回路１２５は、メモリ１２７、特性値検出部１２４、Ｉ／Ｆ１２８、ＬＤドライバ１２１、データ復調回路１２３、データ変調回路１２９、サーボ制御回路１３２、図示しない回転制御部などに接続されている。また、特性値検出部１２４は、ＰＤ１１２、制御回路１２５などに接続されている。ＬＤドライバ１２１は、データ変調回路１２９、制御回路１２５及びＬＤ１１１に接続されている。制御回路１２５は、Ｉ／Ｆ１２８を介して入出力システムにも接続されている。
【００４２】
次に、光ディスク１５０に対してデータを記録する場合における処理の概要を説明する。まず、制御回路１２５は、データ変調回路１２９に、光ディスク１５０に記録すべきデータに対して所定の変調処理を実施させ、データ変調回路１２９は変調処理後のデータをＬＤドライバ１２１に出力する。ＬＤドライバ１２１は、指定の記録条件（ストラテジデータ等）に従って、受信したデータでＬＤ１１１を駆動してレーザ光を出力させる。レーザ光は、コリメートレンズ１１３、ビームスプリッタ１１６、対物レンズ１１４を介してディスク１５０に照射され、光ディスク１５０にマークとスペースを形成する。
【００４３】
また、光ディスク１５０に記録されたデータを再生する場合における処理の概要を説明する。制御回路１２５からの指示に従ってＬＤドライバ１２１は、ＬＤ１１１を駆動してレーザ光を出力させる。レーザ光は、コリメートレンズ１１３、ビームスプリッタ１１６、対物レンズ１１４を介して光ディスク１５０に照射される。光ディスク１５０からの反射光は、対物レンズ１１４、ビームスプリッタ１１６、検出レンズ１１５を介してＰＤ１１２に入力される。ＰＤ１１２は、光ディスク１５０からの反射光を電気信号に変換し、特性値検出部１２４等に出力する。等化器１３１及びデータ復調回路１２３等は、出力された再生信号に対して所定の復号処理を行い、復号されたデータを制御回路１２５及びＩ／Ｆ１２８を介して、入出力システムの表示部に出力して、再生データを表示させる。特性値検出部１２４は、通常の再生では用いられない。
【００４４】
次に、光ディスク記録再生装置１００の動作について図１３を用いて説明する。まず、制御回路１２５は、光ディスク１５０に記録されているメディアＩＤ（製造者識別情報（Manifuacturer ID）の場合もある）をＰＤ１１２、等化器１３１及びデータ復調回路１２３を介して再生することによって読み出す（ステップＳ１）。また、制御回路１２５は、例えばＩ／Ｆ１２８を介してユーザによって設定された記録速度のデータを取得する（ステップＳ２）。そして、取得された記録速度及び読み出されたメディアＩＤに対応する各種ストラテジデータ等を、メモリ１２７等から読み出し、ＬＤドライバ１２１に設定する（ステップＳ３）。メモリ１２７ではなく、光ディスク１５０に記録されている場合には、各種ストラテジデータを光ディスク１５０から読み出す。記録速度が４倍速以上である場合及び波長４００乃至４１０ｎｍの範囲で記録可能な吸収スペクトルを有する記録層を備えた光ディスクについてのメディアＩＤが読み出された場合には、本ステップでは、ライトパワーＰwの初期値と、本発明の原理で述べたような条件に従ってライトパワーＰwの初期値から決定される中間バイアスパワーＰm及びスペース形成パワーＰsがＬＤドライバ１２１に設定される。
【００４５】
そして、ライトパワーＰwを最適化する周知の処理を実施する（ステップＳ５）。なお、この際特性値検出部１２４は、アシンメトリ値又はβ値を算出するための特性値を検出し、制御回路１２５に出力する。制御回路１２５では、アシンメトリ値又はβ値を算出して、最適なライトパワーＰwを算出する。本ステップで利用可能な最適化手法は多数存在しており、何れの方法を用いても良い。
【００４６】
その後、制御回路１２５は、ステップＳ５で算出された最適化されたライトパワーＰwと、本発明の原理で述べたような条件に従って最適化されたライトパワーＰwから特定される中間バイアスパワーＰm及びスペース形成パワーＰsをＬＤドライバ１２１に設定し、データ記録を実施する（ステップＳ７）。
【００４７】
このような処理を実施することによって、発明の原理の欄で述べたような効果を得ることができ、さらにＷＯＰＣ（Walking Optimum Power Control）等においてもライトパワーＰwの制御を適切に行うことができるようになる。
【００４８】
なお、本発明の原理の欄で述べたような条件そのものや条件を満たすＰw、Ｐm及びＰsの設定データは、メモリ１２７に格納される場合もあれば、光ディスク１５０に格納される場合もある。光ディスク１５０に保持させる場合には、図１４に示すようなＬｅａｄ−ｉｎ領域の中に保持しておく。Ｌｅａｄ−ｉｎ領域には、ＰＩＣ（Permanent Information & Control Data）領域１７０、ＩＮＦＯ領域、ＯＰＣ領域が含まれる。例えば、ＰＩＣ１７０に、本発明の原理の欄で述べたような条件そのものや条件を満たすＰw、Ｐm及びＰsなどを保持しておく。なお、ＢＣＡ、ＤＡＴＡ領域、Ｌｅａｄ−ｏｕｔ領域は従来と同じである。
【００４９】
以上本発明の実施の形態を説明したが、本発明はこれに限定されるものではない。例えば、図１２の機能ブロック図は、実施の形態を説明するために示したもので、必ずしも実際の回路やモジュール構成と一致しない場合もある。また、処理フローについても処理結果が同じであれば処理順番を入れ替えたり、並列に実行するようにしても良い。
【図面の簡単な説明】
【００５０】
【図１】記録パワーなどの波形を説明するための図である。
【図２】本発明の原理に係るパラメータ条件を説明するための図である。
【図３】本発明の原理に係るパラメータ条件の検証内容を示す図である。
【図４】本発明の原理に係るパラメータ条件の検証内容を示す図である。
【図５】本発明の原理に係るパラメータ条件の検証内容を示す図である。
【図６】本発明の原理に係るパラメータ条件の検証内容を示す図である。
【図７】本発明の原理に係る第２のパラメータ条件を説明するための図である。
【図８】本発明の原理に係る第２のパラメータ条件の検証内容を示す図である。
【図９】本発明の原理に係る第２のパラメータ条件の検証内容を示す図である。
【図１０】本発明の原理に係る第２のパラメータ条件の検証内容を示す図である。
【図１１】本発明の原理に係る第２のパラメータ条件の検証内容を示す図である。
【図１２】本発明の実施の形態における機能ブロック図である。
【図１３】本発明の実施の形態における処理フローを示す図である。
【図１４】光ディスクに格納されるデータ構造を示す図である。
【符号の説明】
【００５１】
１００  光ディスク記録再生装置
１１０  ピックアップ部    １１１  ＬＤ  
１１２  ＰＤ    １１３  コリメートレンズ
１１４  対物レンズ    １１５  検出レンズ
１１６  ビームスプリッタ    １２１  ＬＤドライバ
１２３  データ復調回路    １２４  特性値検出部
１２５  制御回路    １２６  メモリ回路
１２７  メモリ    １２８  Ｉ／Ｆ    １２９  データ変調回路
１３１  等化器    １３２  サーボ制御回路
１５０  光ディスク
【図１】
2009295242.tif 000003
【図２】
2009295242.tif 000004
【図３】
2009295242.tif 000005
【図４】
2009295242.tif 000006
【図５】
2009295242.tif 000007
【図６】
2009295242.tif 000008
【図７】
2009295242.tif 000009
【図８】
2009295242.tif 000010
【図９】
2009295242.tif 000011
【図１０】
2009295242.tif 000012
【図１１】
2009295242.tif 000013
【図１２】
2009295242.tif 000014
【図１３】
2009295242.tif 000015
【図１４】
2009295242.tif 000016